(57)【要約】【課題】センサとノズルが露出するための開口を個別に設ける必要がない自動消火装置の取付が簡単かつ容易な自動消火装置の天井取付構造を得る。【解決手段】  天井裏に吊下され、熱を感知すると、消火液を天井から噴射する自動消火装置において、前記自動消火装置を懸垂する懸垂支持手段と、一方の突片が他方の収容部に嵌合して自動消火装置に取り付けられるほぼ円形のプレートと、中心の円形開口端縁が前記自動消火装置に掛合する取付プレートと、このプレートにねじ止めするコの字状カバーが、前記消火剤噴射ユニットを天井裏側で包囲し、かつ前記自動消火装置のノズル及び感熱板を室内側に露出させる開口を有し、また前記ノズル及び感熱板を包囲する円筒形のフードを突設したコの字状カバーとからなり、自動消火装置１をトラニオン状吊り金具４を介して懸垂支持手段により天井の枠縁に懸垂支持する。【選択図】図１
2005137585.tif 000002
【特許請求の範囲】
【請求項１】
消火剤を収容するタンクであって、底面の中央部から下方に突出して消火剤の吐出口を包囲する円筒形のエンクロージャを有する消火剤タンクと、頂面の中央部から上方に突出するトラニオン状吊り金具と、前記エンクロージャに連結するときに前記消火剤吐出口に接続される接続ポート、この接続ポートを介してタンク内の圧力を測定表示する圧力ゲージ、及び前記接続ポートに連通するバルブ及びノズル、温度を感知する感熱板、及び所定温度になったとき前記バルブを開放して前記ノズルから消火剤を噴射させるバルブアクチュエータを一体に構成した消火剤噴射ユニットとを具えた自動消火装置において，
前記トラニオン状吊り金具の横方向に突出する耳軸に掛合するブラケットを有して前記自動消火装置を懸垂する懸垂支持手段と、
前記自動消火装置のエンクロージャに取り付ける１対の半円形プレートであって、半円形の弦側端縁を向かい合わせるとき、一方の突片が他方の収容部に嵌合してほぼ円形のプレートをなし、中心の円形開口端縁が前記エンクロージャの外面に掛合する取付プレートと、
前記取付プレートにねじ止めする水平フランジ付きのコの字状カバーであって、前記消火剤噴射ユニットを天井裏側で包囲し、かつ前記ノズル及び感熱板を室内側に露出させる開口を有し、また天井壁の円形開口に貫通して室内側に露出する前記ノズル及び感熱板を包囲する円筒形のフードを突設したコの字状カバーと、
を具えたことを特徴とする自動消火装置の天井取付構造。
【請求項２】
前記懸垂支持手段は、水平フランジ付きのＶ又はＵ字状のブラケットを有し、中心線に沿って前記トラニオンが通過できる長孔を有して、前記トラニオンを通過させた後に９０°回転したとき前記トラニオンの耳軸が前記ブラケットの面に支持されるようにした請求項１記載の自動消火装置の天井取付構造。
【請求項３】
前記懸垂支持手段は、水平フランジ付きのＶ又はＵ字状のブラケットにより直接天井裏の上方の枠縁に固定する請求項２又は３記載の自動消火装置の天井取付構造。
【請求項４】
前記懸垂支持手段を、水平フランジ付きのＶ又はＵ字状のブラケットに連結するボルト付きナットブラケットと、このナットブラケットに連結したスパイダブラケットとにより構成し、前記スパイダブラケットを天井裏の枠縁に固定する請求項２又は３記載の自動消火装置の天井取付構造。
【発明の詳細な説明】
【技術分野】
【０００１】
本発明は、天井に取り付ける自動消火装置において、この自動消火装置の天井取付構造に関するものである。
【背景技術】
【０００２】
このような天井に取り付ける自動消火装置及びこの自動消火装置の天井取付構造としては、センサとノズルが互いに離れて自動消火装置に設けられており、この自動消火装置を支持する担架状のブリッジで天井の野縁に取り付けるものがある（例えば、特許文献１及び特許文献２参照）。
【特許文献１】特開２０００‐１１６８１０号公報
【特許文献２】特開２００３‐１７５１２２号公報
【発明の開示】
【発明が解決しようとする課題】
【０００３】
しかし、このような従来技術の自動消火装置では、タンク自体を支持するため、及びセンサとノズルが離れて設けられているためブリッジにおける開口部を大きくし、また、天井にもセンサとノズルが露出する別個の開口を設けなければならず、見栄えが悪くなるという欠点がある。
【０００４】
従って、本発明の目的は、センサとノズルが露出するための開口を個別に設ける必要がない自動消火装置において、この自動消火装置の取付が簡単であって、天井の美観を損なうことがなく、天井の取り付け口を開閉自在に構成すれば、自動消火装置の点検、メインテナンスが極めて容易であるな自動消火装置の天井取付構造を得ることを目的とする。
【課題を解決するための手段】
【０００５】
この目的を達成するため、本発明は、消火剤を収容するタンクであって、底面の中央部から下方に突出して消火剤の吐出口を包囲する円筒形のエンクロージャを有する消火剤タンクと、頂面の中央部から上方に突出するトラニオン状吊り金具と、前記エンクロージャに連結するときに前記消火剤吐出口に接続される接続ポート、この接続ポートを介してタンク内の圧力を測定表示する圧力ゲージ、及び前記接続ポートに連通するバルブ及びノズル、温度を感知する感熱板、及び所定温度になったとき前記バルブを開放して前記ノズルから消火剤を噴射させるバルブアクチュエータを一体に構成した消火剤噴射ユニットとを具えた自動消火装置において，
前記トラニオン状吊り金具の横方向に突出する耳軸に掛合するブラケットを有して前記自動消火装置を懸垂する懸垂支持手段と、
前記自動消火装置のエンクロージャに取り付ける１対の半円形プレートであって、半円形の弦側端縁を向かい合わせるとき、一方の突片が他方の収容部に嵌合してほぼ円形のプレートをなし、中心の円形開口端縁が前記エンクロージャの外面に掛合する取付プレートと、前記取付プレートにねじ止めする水平フランジ付きのコの字状カバーであって、前記消火剤噴射ユニットを天井裏側で包囲し、かつ前記ノズル及び感熱板を室内側に露出させる開口を有し、また天井壁の円形開口に貫通して室内側に露出する前記ノズル及び感熱板を包囲する円筒形のフードを突設したコの字状カバーと、前記円筒部の外面に設けたねじ山にねじをねじ付ける雌ねじリングとを具えたことを特徴とする。
【発明の効果】
【０００６】
消火装置の天井取付構造によれば、タンク自体を支持する大きな開口付きブリッジを形成することなく、簡単に懸垂支持することができると共に、天井の美観を損ねることがない利点を有する。
【０００７】
更に、本発明が用いられる自動消火装置によれば、消火剤を噴射させるノズルと、センサとしての感熱板が、バルブ及びバルブアクチュエータとともに消火剤噴射ユニットとして一体に集約されているため、ノズル及び感熱板を露出させる天井開口は一つでよく、見栄えがよくなる。
【発明を実施するための最良の形態】
【０００８】
本発明の好適な実施例においては、前記懸垂支持手段は、水平フランジ付きのＶ又はＵ字状のブラケットを有し、中心線に沿って前記トラニオンが通過できる長孔を有して、前記トラニオンを通過させた後に９０°回転したとき前記トラニオンの耳軸が前記ブラケットの面に支持されるようにする。
【０００９】
本発明の好適な実施例においては、懸垂支持手段は、水平フランジ付きのＶ又はＵ字状のブラケットにより直接天井裏の上方の枠縁に固定する。又は、懸垂支持手段を、水平フランジ付きのＶ又はＵ字状のブラケットに連結するボルト付きナットブラケットと、このナットブラケットに連結したスパイダブラケットとにより構成し、前記スパイダブラケットを天井裏の枠縁に固定する。
【００１０】
次に、図面につき、本発明の好適な実施例を説明する。
【実施例１】
【００１１】
図１に本発明が適用される自動消火装置１の側面図を示す。この自動消火装置１は、消火剤を収容する消火剤タンク２を有し、消火剤タンク２の底面の中央部から下方に突出して消火剤の吐出口（図示せず）を包囲する円筒形のエンクロージャ３を設ける。また、消火剤タンク２の頂面の中央部から上方に突出するトラニオン状吊り金具４を設ける。更に、エンクロージャ３の消火剤吐出口に接続される接続ポート（図示せず）を有する消火剤噴射ユニット５を設ける。
【００１２】
消火剤噴射ユニット５は、接続ポート（図示せず）を介して消火剤タンク内の圧力を測定表示する圧力ゲージ６、及び接続ポートに連通するバルブ（図示せず）及びノズル７、温度を感知する感熱板８を有し、更に、所定温度になったときバルブを開放してノズル７から消火剤を噴射させるバルブアクチュエータ（図示せず）を内蔵する一体構成のユニットとする。
【００１３】
この自動消火装置１を天井に取り付けるにあたり、エンクロージャ３の周囲に図２に示すような１対の半円形プレート９Ａよりなる取付プレート９を装着する。図３に示すように、半円形の弦側端縁を向かい合わせるとき、一方の半円形プレート９Ａの突片１０が他方の半円形プレート９Ａの収容部１１に嵌合してほぼ円形のプレートをなし、中心の円形開口端縁１２がエンクロージャ３の外面に掛合する。収容部１１は、突片１０を収容する窪みを有する任意の形状とすることができる。例えば、Ｌ字状又はコの字状等の形状にすることができる。
【００１４】
取付プレート９の中心の円形開口１２から突出したエンクロージャ３に対して消火剤噴射ユニット５を装着すると、エンクロージャ３に包囲されていて見えていない消火剤吐出口に消火剤噴射ユニット５の接続ポートが接続される。
【００１５】
消火剤噴射ユニット５を装着した状態で、取付プレート９に水平フランジ付きのコの字状のカバー１３をねじ止めする。このカバー１３は消火剤噴射ユニット５を天井裏側で包囲する。カバーの底面には、ノズル７及び感熱板８を室内側に露出させるための開口１４を設け、また天井面の円形開口に貫通して室内側に露出するノズル７及び感熱板８を包囲する円筒形フード１５を突設する（図６参照）。これによれば、自動消火装置１の噴射口が天井から僅かに下から見えるのみなので、天井の美観を損ねることはない。この円筒形フード１５の外面には雄ねじ山１６を設ける。
【００１６】
以下に説明するように、トラニオン状吊り金具４の横方向に突出する耳軸４Ａに掛合するブラケット２１Ａを有する懸垂支持手段２１によって自動消火装置を天井裏に懸垂支持したとき、図５に示すように、カバー１３の底面は天井面１７の裏側に接触し、円筒形フード１５は天井面１７の円形開口１８から室内側に突出する。この室内側から、円筒形フード１５の雄ねじ山１６にワッシャ１９を介して雌ねじリング２０をねじ付ける。
【００１７】
懸垂支持手段２１は、水平フランジ付きのＶ又はＵ字状のブラケット２１Ａを有し、中心線に沿ってトラニオン状吊り金具４が通過できる長孔２２を有して、トラニオン状吊り金具４を通過させた後に９０°回転したとき、トラニオンの耳軸４Ａがブラケット２１Ａの内面に支持されるようにする。
【００１８】
懸垂支持手段２１は、水平フランジ付きのＶ又はＵ字状のブラケット２１Ａにより直接天井裏の上方の枠縁に固定することもできる。しかし、好適には、懸垂支持手段２１を、水平フランジ付きのＶ又はＵ字状のブラケット２１Ａに連結するボルト付きナットブラケット２３と、このナットブラケット２３に連結したスパイダブラケット２４とによって構成し、スパイダブラケット２４の遊端（図示せず）を天井裏の枠縁２５にくぎ又はボルトで（図示せず）固定する。
【産業上の利用可能性】
【００１９】
本発明に係る自動消火装置の天井取付構造によれば、住宅のキッチン、又はリビングの火元となる器具のある天井に美観を損なうことなく簡単に取り付けることができ、火災による温度上昇を感熱板が感知し、消火剤を噴射し、火元をダイレクトに消火する。また、住宅のみならず、病院、飲食店・事務所の厨房、無人倉庫、ごみ置き場等の天井に取り付ける場所が限定されることがなく、加えて、前述した構造よりなるので、各部屋の天井に簡単且つ容易に設置可能であり、天井の美観を損なうことがなく、この種自動消火装置にとって、極めて至便であって、使い勝手の良い自動消火装置の天井取付構造を得ることができる。
【図面の簡単な説明】
【００２０】
【図１】本発明が適用される自動消火装置の側面図である。
【図２】本発明の分解斜斜視図である。
【図３】本発明自動消火装置を天井に取り付ける際の取付プレートの頂面側の平面図である。
【図４】図３のＡ−Ａ線断面図である。
【図５】本発明を自動消火装置の天井面に配置した状態の一部断面とする側面図である。
【図６】本発明に係る懸垂支持手段の説明図である。
【図７】本発明を自動消火装置を取り付けた状態を示す裏面図である。
【符号の説明】
【００２１】
１  自動消火装置
２  消火剤タンク
３  エンクロージャ
４  トラニオン状吊り金具
４Ａ  耳軸
５  消火剤噴射ユニット
６  圧力ゲージ
７  ノズル
８  感熱板
９  取付プレート
９Ａ  半円形プレート
１０  突片
１１  収容部
１２  開口端縁
１３  カバー
１４  開口
１５  円筒形フード
１６  雄ねじ山
１７  天井面
１８  円形開口
１９  ワッシャ
２０  雌ねじリング
２１  懸垂支持手段
21Ａ  ブラケット
２２  長孔
２３  ナットブラケット
２４  スパイダブラケット
【図１】
2005137585.tif 000003
【図２】
2005137585.tif 000004
【図３】
2005137585.tif 000005
【図４】
2005137585.tif 000006
【図５】
2005137585.tif 000007
【図６】
2005137585.tif 000008
【図７】
2005137585.tif 000009